(57)【要約】【課題】再生装置が第２変動をより高い信頼性で検出することを可能にする記録担体を提供すること。第２変動をより高い信頼性で検出する再生装置を提供すること。第２変動がより高い信頼性で検出される、記録担体と再生装置を有する情報システムを提供すること。【解決手段】本発明による情報システムは、記録担体（１）と再生装置（２０）を有する。記録担体は、そのトラック（１１）に沿って情報マークを有し、かつ、トラックに沿った情報マークの存在の有無によって引き起こされる第１変動を示す。この第１変動は、記録担体上に記録された情報信号を表す。記録担体は、情報マークに関連付けられた変動によって引き起こされる第２変動（Ｗ）をさらに示す。第２変動の位相は、第１変動の位相に結合されている。本発明による再生装置（２０）は、記録担体（１）を走査するための変換器ユニット（２０Ａ、２０Ｂ、２０Ｃ）を含む。変換器ユニットは、第１変動と第２変動を検出するように適合化されている。装置は、第１変動からクロック信号（ＣＬ）を再現するための、変換器ユニット（２０Ａ、２０Ｂ、２０Ｃ）に結合されている第１再現ユニット（２２）と、第１変動から情報信号（Ｓｏｕｔ）を再現するための、変換器ユニット（２０Ａ、２０Ｂ、２０Ｃ）に結合されている第２再現ユニット（２３）とをさらに含む。装置は、第２変動が所定の変動パターンを示すか否かを少なくとも１つの信号（ＳＡ）に基づいて検出するための検出ユニット（２４）をさらに含み、この信号は、第２変動を少なくとも示し、かつ変換器によって生成される。検出ユニット（２４）は、第１再現ユニット（２２）によって生成されたクロック信号（ＣＬ）を検出のために使用する。さらに、検出ユニット（２４）が所定の変動パターンを検出したときに、第２再現ユニット（２３）が情報信号（Ｓｏｕｔ）を再現することを可能にするためのイネーブルユニット（２５）を有する。【選択図】図３
2004503048.tif 000002
【特許請求の範囲】
【請求項１】
記録坦体であって、
そのトラックに沿って情報を有し、かつ、
前記トラックに沿う前記情報マークの存在の有無によって引き起こされる第１変動であって、当該記録担体上に記録される情報信号を表す第１変動と、前記情報マークに関連付けられた変動によって引き起こされる第２変動であって、前記第２変動の前記位相が前記第１変動の前記位相に結合されている第２変動とを示す記録担体と、
再生装置であって、
当該記録担体を走査することを目的とし、かつ当該第１変動と当該第２変動を検出するように適合化されている変換器ユニットと、
前記第１変動からクロック信号を再現するための、前記変換器ユニットに結合されている第１再現ユニットと、
前記第１変動から情報信号を再現するための、前記変換器ユニットに結合されている第２再現ユニットと、
当該第２変動が、所定の変動パターンを示すか否かを少なくとも１つの信号に基づいて検出するための検出ユニットであって、当該信号が、当該第２変動を少なくとも示し、かつ当該変換器によって生成され、前記検出ユニットが、検出のために当該クロック信号を使用する、検出ユニットと、
当該検出ユニットが当該所定の変動パターンを検出したときに、当該第２再現ユニットが前記情報信号を再現することを可能にするイネーブルユニットと、
を含む再生装置と、
を有する情報システム。
【請求項２】
当該第２変動が、コードを表す変調パターンを示し、かつ、当該検出ユニットが、当該少なくとも１つの信号に基づいて当該コードを再現する復調ユニットと、当該コードが再現されたときに当該イネーブル手段を作動させる作動化ユニットとを有する、請求項１に記載のシステム。
【請求項３】
当該記録担体上に記録される前記情報信号が、所定のタイプのデータ処理によって再現できるタイプであり、当該コードが、前記情報信号を再現するために使用される前記所定のタイプのデータ処理を示し、かつ、当該再生装置が、前記情報信号が再現されるときに前記所定のタイプのデータ処理が実行されるモードに当該再現ユニットを設定するためのユニットをさらに含む、請求項２に記載のシステム。
【請求項４】
それのトラックに沿って情報を有し、かつ、
前記トラックに沿う前記情報マークの存在の有無によって引き起こされる第１変動であって、当該記録担体上に記録される情報信号を表す第１変動と、前記情報マークに関連付けられた変動によって引き起こされる第２変動であって、前記第２変動の前記位相が前記第１変動の前記位相に結合されている第２変動と、
を示す記録担体。
【請求項５】
前記第２変動が、前記第１変動に対して第１位相または第２位相のいずれかを有することを特徴とする、請求項４の記録担体。
【請求項６】
前記第１位相と前記第２位相が１８０度異なることを特徴とする、請求項３の記録担体。
【請求項７】
当該記録担体を走査することを目的とし、かつ当該第１変動と当該第２変動を検出するように適合化されている変換器ユニットと、
前記第１変動からクロック信号を再現するための、前記変換器ユニットに結合されている第１再現ユニットと、
前記第１変動から情報信号を再現するための、前記変換器ユニットに結合されている第２再現ユニットと、
当該第２変動が、所定の変動パターンを示すか否かを少なくとも１つの信号に基づいて検出するための検出ユニットであって、当該信号が、当該第２変動を少なくとも示し、かつ当該変換器によって生成され、前記検出ユニットが、検出のために当該クロック信号を使用する、検出ユニットと、
当該検出ユニットが当該所定の変動パターンを検出したときに、当該第２再現ユニットが前記情報信号を再現することを可能にするイネーブルユニットと、
を有する再生装置。
【発明の詳細な説明】
【０００１】
【発明が属する技術分野】
この発明は、記録担体と、再生装置と、記録担体および再生装置を有する情報システムとに関する。
【０００２】
【従来の技術】
ＵＳＰ ５，９３０，２１０には、記録担体、再生装置と、記録担体および再生装置を有する情報システムが記載されている。この米国特許に記載されている記録担体は、トラックに沿っての情報マークの存在の有無によって引き起こされる第１変動を有する。この第１変動は、記録担体に記録されている情報信号を表す。情報マーク（ｉｎｆｏｒｍａｔｉｏｎ ｍａｒｋｓ）は、例えば、ピットの形式である。記録担体は、さらに、情報マークに関連付けられている変動によって引き起こされる第２変動を有する。上記米国特許には、第２変動が半径方向の位置によって変動する形式である実施例が記載されている。情報マークは、トラッキングサーボシステムの公称範囲を超えるウォブル周波数により、ウォブル化されたトラックに沿って配置されている。これにより、半径方向の誤差信号から第２変動を検出することができる。第２変動は、情報マークの中の情報の内容を復号化するために必要な復号鍵を表す。ビットコピーマシンは、通常、（記録された情報を表す）第１物理パラメータの変動しかコピーしないため、第２物理パラメータの変動はコピーされない。従って、特殊ディスクは、通常のタイプのビットコピーマシンによってコピーすることができない。
【０００３】
第１変動と第２変動のこのような組み合わせは、ＣＤ２規格に従う記録担体用にも提案されている。このような記録担体は、３ビーム半径方向トラッキング（３−ｂｅａｍ ｒａｄｉａｌ ｔｒａｃｋｉｎｇ）を採用するプレーヤーのみならず、半径方向プッシュプル（ｒａｄｉａｌ ｐｕｓｈ−ｐｕｌｌ）方式を使用するプレーヤーでも再生できることが必要である。しかしながら、３ビーム半径方向トラッキングシステムを有するプレーヤーでは、２個のサテライト検出器（ｓａｔｅｌｌｉｔｅ ｄｅｔｅｃｔｏｒ）の接線距離が相対的に大きい。半径方向ウォブルの周波数が相対的に高い（例えば、１Ｘ再生速度の場合で２２．０５ ｋＨｚ）ため、２個のサテライト検出器の信号の間で相対的に大きい位相ずれが発生し、このことがウォブル信号の信頼性の高い検出を妨げる。これに代えて、ウォブル信号をサテライト検出器の信号の１つのみから得る場合には、信号対雑音比が相対的に大きくなり、このこともウォブル信号の信頼性の高い検出を妨げる。
【０００４】
【課題を解決するための手段】
本発明の目的は、再生装置が第２変動をより高い信頼性で検出することを可能にする記録担体を提供することである。本発明のさらなる目的は、第２変動をより高い信頼性で検出する再生装置を提供することである。本発明のさらなる目的は、第２変動がより高い信頼性で検出される、記録担体と再生装置を有する情報システムを提供することである。
【０００５】
本発明によると、前記記録担体は、そのトラックに沿って情報マークを有し、かつ、前記トラックに沿う前記情報マークの存在の有無によって引き起こされる第１変動であって、当該第１変動が当該記録担体上に記録された情報信号を表す、第１変動と、前記情報マークに関連付けられた変動によって引き起こされる第２変動であって、前記第２変動の前記位相が前記第１変動の前記位相に結合されている、第２変動とを示す。
【０００６】
本発明の記録担体は、
当該記録担体を走査することを目的とし、かつ当該第１変動と当該第２変動を検出するように適合化されている変換器ユニットと、
前記第１変動からクロック信号を再現するための、前記変換器ユニットに結合されている第１再現ユニットと、
前記第１変動から情報信号を再現するための、前記変換器ユニットに結合されている第２再現ユニットと、
当該第２変動が、所定の変動パターンを示すか否かを少なくとも１つの信号に基づいて検出するための検出ユニットであって、当該信号が、当該第２変動を少なくとも示し、かつ当該変換器によって生成され、前記検出ユニットが、検出のために当該クロック信号を使用する、検出ユニットと、
当該検出ユニットが当該所定の変動パターンを検出したときに、当該第２再現ユニットが前記情報信号を再現することを可能にするイネーブルユニットと、
を含む再生装置を含む、本発明の再生装置による再生に特に適している。
【０００７】
第２変動の位相が第１変動の位相に結合されているため、検出ユニットは、第１再現ユニットによって得られるクロック信号を使用することによって、第２変動を高い信頼性で検出できる。より信頼性の高いクロック信号を使用すると、検出ユニットによる検出の信頼性はより高くなる。
【０００８】
ＥＰ ４８５ ２３４には、アドレスを表す半径方向のウォブルを有するトラックを有する記録担体に情報を記録する情報記録デバイスが、記載されていることは、留意すべきである。データの記録中、半径方向のウォブルから記録クロックが再現される。この情報システムの場合、ウォブルに格納されている情報は、記録担体から取り出された後にはそれ以上の意味を持たない。
【０００９】
さらに留意すべき点は、ＤＥ １９９ ００ ６５３には、ウォブル状のトラックのみでなくプレピット（ｐｒｅ−ｐｉｔ）も形成されているマスタディスクを作成するためのデバイスが開示されている点である。プレピッが重ならないように、ウォブルを形成するための制御信号と、プレピットを形成するための制御信号とは、相互に同期が取られる。この場合、ウォブルは、記録担体の回転速度を制御するための情報を含む。
【００１０】
さらに留意すべき点は、ＵＳＰ ５，９３０，２１０が、図５において、検出ユニットが、ＰＬＬによって第１変動から再現されるクロック信号を受け取る実施例を開示している点である。この場合、クロック信号自体は、第２変動を表す信号の役割を果たす。第２変動の信頼性が雑音のために低い場合には、第２変動を表す信号の検出の信頼性を向上させることができる独立したクロック信号は使用されない。
【００１１】
情報システムの一実施例は、第２変動が、コードを表す変調パターンを示すことと、検出手段が、検出信号からこのコードを再現するためのコード再現手段と、このコードの再現に応答してイネーブル手段を作動させるための手段とを有することとを特徴とする。
【００１２】
変動の変調を使用することは、第２物理パラメータの変動の存在をより高い信頼性で検出できるという利点を有する。
【００１３】
情報システムのさらなる実施例は、記録される情報が、所定のデータ処理によって再現可能なタイプであり、第２変動の変調パターンによって表されるコードが、情報を再現するために使用されるデータ処理のタイプを示し、再現されるコードによって示される所定のデータ処理が実行されるモードに再現手段を設定するための手段が、装置に設けられていることを特徴とする。
【００１４】
この実施例は、記録担体から読み取られる情報を再現するためには、変調パターンによって表されるコードを利用することが必要であるという利点を有する。従って、情報は、コードを再現するができる専用の再生装置によらない限り記録できない。記録担体への記録前に情報を暗号化またはスクランブル化する場合には、コードは、それぞれ、暗号化キーまたはスクランブル方式を示すことが望ましい。
【００１５】
このタイプの情報システムとしては、光学的に読み取り可能な記録担体を使用する情報システムが特に適しているが、このシステムに限定されることはない。
【００１６】
光学記録担体においては、情報の読み取りに使用される放射線ビームと同じ放射線ビームで検出できるトラック変調によって情報が記録されるトラックを設けることは、比較的簡単である。
【００１７】
これが実現されている情報システムの一実施例は、少なくとも１つの走査パラメータを、放射感知検出器により受信されかつ第２物理パラメータによる影響を受けた検出信号に基づいて所定の値に制御するために走査を制御するサーボ制御手段であって、当該サーボ制御手段が、所定の周波数帯域を有し、当該第２物理パラメータの当該変動によって、サーボ制御手段の前記帯域幅の外側でありかつ前記第１物理パラメータの前記変動によって引き起こされる前記信号変動の前記周波数スペクトルの外側である周波数スペクトルを示す検出信号の変動が引き起こされる、サーボ制御手段を特徴とする。第２物理パラメータの変動は、トラック方向に直角な方向におけるトラック位置の変動という形式をとることができる。これらの変動は、トラッキング誤差信号に基づいて検出できる。
【００１８】
第２物理パラメータの変動は、光学的に読み取り可能なマークが位置する面の位置の変動という形式をとることができる。この場合、変動は、フォーカス誤差信号に基づいて検出できる。
【００１９】
第２物理パラメータの変動は、光学的に読み取り可能なマークと、光学的に読み取り可能なマークの間に位置する中間領域との平均値の変動という形式をとることもできる。この場合、第２物理パラメータの変動は、トラックの走査中にＣＬＶ方式で再現されるデータクロック信号の変動に基づいて検出できる。
【００２０】
情報システムで使用される記録担体がコンパクトディスクである場合には、トラックが走査速度１．２〜１．４ ｍ／秒の間で走査される場合に、第２物理パラメータの変動に起因して、検出信号において実質的に２２ ｋＨｚに一致する周波数の変動が生じることを特徴とする情報システムを使用することが望ましい。
【００２１】
この実施例は、１．２〜１．４ ｍ／秒の間の速度で走査されるときに実質的に２２ ｋＨｚの周波数のトラッキング誤差をもたらすウォブルを示すプリグルーブが設けられている通常の記録可能なコンパクトディスクには、特殊ディスクをコピーすることが不可能であるという利点を有する。コピーする記録担体のウォブル記録マークに一致する記録マークのウォブルパターンを記録することにたとえ成功した場合でも、同じ周波数範囲内に位置するウォブル状のプリグルーブが存在するため、このパターンは検出されない。
【００２２】
本発明のこれらの観点およびその他の観点は、図面を参照しながらさらに詳細に説明されている。
【００２３】
【発明を実施するための形態】
図１ａ、１ｂ、１ｃ、１ｄは、本発明による情報システムで使用するための記録担体１の可能な実施例を示し、図１ａは平面図であり、図１ｂと１ｃは、記録担体の第１および第２実施例の部分２を拡大した平面図であり、図１ｄは、記録担体１の第３実施例の、線ｂ−ｂに沿った部分２の断面図の一部を示す。
【００２４】
図１ｂに示されている記録担体１の実施例においては、第１物理パラメータの変動は、中間領域４と交互に並ぶ光学的に検出可能なマーク３という形式をとる。光学的に検出可能なマークは、いわゆるピットの形式にすることが出来る。しかしながら、光学的に検出可能な他のタイプのマークも使用可能であ。光学的に検出可能なマークは、中心線が参照記号５によって示されるトラックに沿って配置される。この実施例では、第２物理パラメータの変動は、トラック方向に直角な方向におけるトラック位置の変動である。この位置の変動は、半径方向のトラックウォブルとしても公知であるトラック波動の形式をとる。このようなトラックウォブルは、光学的に検出可能なマーク３の検出用に使用されるものと同じビーム走査ユニット（本明細書の別の部分で説明されている）によって容易に検出できる。ウォブルの所定の数が第１変動によって表されるチャネルビットの所定の数に一致する点で、第２変動の位相は、第１変動の位相に結合されている。
【００２５】
図１ｃに示されている実施例では、第２物理パラメータの変動は、光学的に検出可能なマーク３の幅の変動の形式をとる。マーク３の幅の変動は、トラックを走査する放射線ビームにおける追加の輝度変調をもたらす。マークのパターンに起因する成分の周波数スペクトルが、マーク幅の変動に起因する成分の周波数スペクトルと重ならなければ、マーク３の幅の変動と情報の両方を輝度変調に基づいて再現できる。幅の変動の所定の数が第１変動によって表されるチャネルビットの所定の数に一致している点で、第２変動の位相は第１変動の位相に結合されている。
【００２６】
図１ｄにおいて、参照記号６は透明基板を示す。基板６は、反射層７で覆われている。反射層７は、保護層８で覆われている。基板６には、光学的に検出可能なマーク３がピット形式で設けられている。第２物理パラメータの変動は、光学的に検出可能なマーク３が位置する面の位置の変動の形式をとる。図１ｄでは、これらの面の異なる位置は、線９Ａと９Ｂによって示されている。図１ｄに示されているパターンを、フォーカスされた放射線ビームによって走査すると、マーク３の面の変動のために、容易に検出できるフォーカス誤差が発生する。面の位置の変動の所定の数が第１変動によって表されるチャネルビットの所定の数に一致している点で、第２変動の位相は第１変動の位相に結合されている。
【００２７】
図３は、図１Ａを参照して説明されている本発明による記録担体１と、本発明による再生デバイス２０を線図的に示す。図示されているトラック１１は、トラック沿いの情報マークの存在の有無によって引き起こされる第１変動を示す。この第１変動は、記録担体上に記録されている情報信号を表す。情報信号は、この場合、ランレングス制限が適用されたビットのシーケンスである。具体的には、情報信号は、ＥＦＭコードに従って符号化されている。トラックは、情報マークに関連付けられている変動によって引き起こされる第２変動も示す。図示の実施例では、第２変動は、図１Ａを参照して説明されているトラックの半径方向ウォブルの形式である。第２変動の位相は第１変動の位相に結合されている。図示の実施例では、各ＥＦＭフレームがトラックにおけるウォブルの３周期に一致し、かつ半径方向ウォブルの零交差において開始する点で、第２変動の位相は、第１変動の位相に結合されている。
【００２８】
図示の実施例では、第２変動は、第１変動に対し第１位相または第２位相のいずれかを有する。図４に示されているように、半径方向ウォブルＷは２進コードを表す。２進コード、例えば、１１１０は、二相変調される（ｂｉｐｈａｓｅ ｍｏｄｕｌａｔｅｄ）。例えば、各「１」は「１０」に変換され、各「０」は「０１」に変換される。この場合、２進コード１１１０は、２進シーケンス１０１０１００１に変換される。このようにして得られた２進シーケンスは、マークの半径方向の位置が、固定周波数で、しかし第１変動に対して第１位相または第２位相のいずれかで変動するような、半径方向ウォブルＷに変換される。第２変動の位相は、変換によって得られる２進シーケンスの極性変化それぞれにおいて、第１位相と第２位相の間で切り換わる。第１位相と第２位相は、１８０度異なる。このことは、位相が第１位相または第２位相の何れに等しいかに関係なく各サンプルが最大となるように、第２変動を表す信号ＳＡを、第２変動の周波数の２倍の周波数によってサンプリングできるという利点を有する。
【００２９】
この実施例では、第２変動の零交差がＥＦＭフレームの開始と一致するように、第１位相と第２位相を選択する。このことは、ＥＦＭフレームの同期を使用することにより、第２変動を検出するために使用されるクロックも容易に再同期できるという利点を有する。しかしながら、第１変動と第２変動の間の事前に定義された任意の位相関係も、それが標準化されているか、または位相関係が記録担体に記録されているならば、使用することができる。図３に示されている再生デバイス２０は、トラック１０、１１、１２を有する記録担体１を走査するための変換器ユニットを有する。変換器ユニットは、第１変動と第２変動を検出するように適合化されている。図示の実施例の場合、変換器ユニットは、光学ユニットと、第１、第２、第３検出器２０Ａ、２０Ｂ、２０Ｃを有する。光学ユニットは、記録担体に中央のスポットＢと２つのサテライトスポットＡ、Ｃを発射する。３ビーム方式自体は公知であるため、光学ユニットは示されていない。スポットＡ、Ｂ、Ｃから反射される放射は、第１検出器２０Ａ、第２検出器， ２０Ｂ、および第３検出器２０Ｃによって検出される。再生装置は、さらに、変換器ユニットに結合されている第１再現ユニット２２と第２再現ユニット２３を有する。第１再現ユニット２２と第２再現ユニット２３は、それぞれ、第１変動からクロック信号ＣＬと情報信号Ｓｏｕｔを再現する。再生装置２０は、さらに、第２変動が所定の変動パターンを示しているか否かを、少なくとも第２変動を示しかつ変換器ユニットによって生成される少なくとも１個の信号ＳＡに基づいて、検出する検出ユニット２４を有する。再生装置は、検出ユニット２４が所定の変動パターンを検出したときに、第２再現ユニットが情報信号Ｓｏｕｔを再現することを可能にするイネーブルユニット２５をさらに有する。
【００３０】
検出ユニット２４は、第１再現ユニット２２によって生成されるクロック信号ＣＬを検出に使用する。図５は、第１再現ユニット２２の１つの例をより詳細に示す。第１再現ユニット２２は、第１再現ユニット２２によって生成されたクロック信号ＣＬと第２検出器２０Ｂにより受信された信号ＳＢとの間の位相差を検出する位相検出器２２．１を有する。位相検出器２２．１の出力信号は、ループフィルタ（ｌｏｏｐｆｉｌｔｅｒ）２２．２を介して、可制御発信器２２．３（例えば、電圧制御式発信器）に送られる。可制御発信器の出力は、第１再現ユニットによって生成されるクロック信号ＣＬを構成する。
【００３１】
図６は、検出ユニット２４をより詳細に示す。検出ユニット２４は、クロック信号ＣＬから第１補助クロック信号ＣＬ１を生成する第１周波数分割器２４．１を有する。第１補助クロック信号ＣＬ１は、クロック信号ＣＬの周波数よりも係数Ｎ低い周波数を有する。本実施例の場合、ＥＦＭフレームの持続時間は３ウォブル周期に一致し、Ｎの値は９８である。図示の実施例では、周波数分割器２４．１は、各ＥＦＭフレームの開始を示す信号ＳＹＮＣを受信するためのさらなる入力を有する。周波数分割器２４．１の出力信号ＣＬＷの位相は、第１変動から導かれるクロック信号ＣＬの位相に結合されている。サンプリング／保持ユニット２４．２は、クロック信号ＣＬＷの正の各遷移において信号ＳＡをサンプリングし、応答として信号ＳＡＣＬを生成する。信号ＳＡＣＬは、２進信号Ｓ２を生成するしきいユニット２４．３に送られる。
【００３２】
図２は、変調された半径方向ウォブルが使用される場合に使用できる検出ユニットの一例を示す。この検出ユニットは、半径方向ウォブルの周波数に同調された帯域通過フィルタ８０を有する。フィルタ８０の入力は、信号ＳＡを受信するために検出器２０Ａに結合されている。フィルタ８０の出力は、ＥＦＭクロック信号ＣＬを周波数分割器８３によって分割することによって得られるクロック信号ＣＬＷを使用することによって、変調されたウォブルによって表されるコードを再現する復調回路８１に送られる。復調回路８１によって再現されたコードは、再現されたコードを所定のコードと比較する比較器回路８２に送られる。復調回路８２は、復調回路８１によって再現されたコードが所定のコードに一致する場合に、再現回路２２のイネーブル信号を生成するタイプである。
【００３３】
次に、本発明による装置の動作を、図７を参照して詳細に説明する。図７Ａは、ＥＦＭ符号化された情報を有する信号ＳＢを線図的に示す。信号ＳＢは、２４チャネルビットの同期パターンＦ１と、５６４チャネルビットのデータ部Ｆ２とを有するフレームＦのシーケンスを有する。この信号から導かれる（図７Ｂに線図的に示されている）クロック信号ＣＬは、４．３２１８ ＭＨｚの周波数を有する。周波数分割器２４．１によって生成されるクロック信号ＣＬＷ（図７Ｃ）は、４４．１ ｋＨｚの周波数を有する。第２変動（この場合は情報マークの半径方向ウォブルＷ（図７Ｄ））が第１変動（すなわち情報マーク）の位相に結合されているため、このクロック信号ＣＬＷは、位相において信号ＳＡに結合されている。この場合、クロック信号ＣＬＷの正の遷移は、ウォブルＷの最大偏差に一致する。図７Ｄは、第２変動Ｗを表す信号ＳＡも示している。この図に示されているように、信号ＳＡは相対的に大きい雑音成分を有する。しかしながら、ウォブルＷが最大偏差を有するポイントにおいて、信号ＳＡを正しいタイミングと高い信頼性でサンプリングすることができるため、これらのポイントにおけるウォブルＷの極性は、図７Ｅと７Ｆに示されているように高い信頼性で決定できる。図７Ｅは、サンプリング／保持ユニット２４．２によって生成される信号ＳＡＣＬを示し、図７Ｆは、しきいユニット２４．３によって生成される信号Ｓ２を示す。
【００３４】
プレーヤーの信号処理動作は、専用ハードウェアによって実行できるのみならず、適切にプログラムされた汎用プロセッサによっても実行することができることは、留意すべきである。
【００３５】
本発明の保護の範囲は、本明細書に記載されている実施例に制限されることはない。さらに、本発明の保護の範囲は、請求項における参照数字によっても制限されない。「有する」という語は、請求項に記載されている以外の部分を除外するものではない。要素の前の「１つの」という語は、その要素が複数存在することを除外しない。本発明の一部を構成する手段は、専用ハードウェアの形式か、プログラムされた汎用プロセッサの形式のいずれにおいても実施できる。本発明は、各新規な特徴または特徴の組み合わせに存する。
【図面の簡単な説明】
【図１】
図１ａは、本発明による情報システムで使用するための記録担体１の可能な実施例を示す。
図１ｂは、本発明による情報システムで使用するための記録担体１の可能な実施例を示す。
図１ｃは、本発明による情報システムで使用するための記録担体１の可能な実施例を示す。
図１ｄは、本発明による情報システムで使用するための記録担体１の可能な実施例を示す。
【図２】変調された半径方向ウォブルが使用される場合に使用できる検出ユニットの一例を示す。
【図３】記録担体と、本発明の再生デバイス２０とを有する本発明の情報システムを線図的に示す。
【図４】第２変動によるコードの表現を線図的に示す。
【図５】図３の再生装置の第１ユニットをさらに詳細に示す。
【図６】図３の再生装置の第２ユニットをさらに詳細に示す。
【図７】
図７Ａは、図３に示される再生装置で発生する信号を示す。
図７Ｂは、図３に示される再生装置で発生する信号を示す。
図７Ｖは、図３に示される再生装置で発生する信号を示す。
図７Ｄは、図３に示される再生装置で発生する信号を示す。
図７Ｅは、図３に示される再生装置で発生する信号を示す。
図７Ｆは、図３に示される再生装置で発生する信号を示す。
【符号の説明】
ＳＡ　信号
ＣＬ　クロック信号
Ｓ２　２進信号
Ｓｏｕｔ　情報信号
ＣＬ１　第１補助クロック信号
ＳＹＮＣ　信号
ＣＬＷ　出力信号
ＳＡＣＬ　信号
Ｗ　半径方向ウォブル
Ｂ　中央のスポット
Ａ、Ｃ　サテライトスポット
１　記録担体
２　部分
３　光学的に検出可能なマーク
４　中間領域
５　トラック
６　基板
７　反射層
８　保護層
９Ａ、９Ｂ　線
１０、１１、１２　トラック
２０　再生デバイス
２０Ａ　第１検出器
２０Ｂ　第２検出器
２０Ｃ　第３検出器
２２　第１再現ユニット
２３　第２再現ユニット
２４　検出ユニット
２５　イネーブルユニット
２２．１　位相検出器
２２．２　ループフィルタ
２２．３　可制御発信器
２４．１　周波数分割器
２４．２　サンプリング／保持ユニット
２４．３　しきいユニット
８０　帯域通過フィルタ
８１　復調回路
８２　比較器回路
８３　周波数分割器
【図１】
2004503048.tif 000003
【図２】
2004503048.tif 000004
【図３】
2004503048.tif 000005
【図４】
2004503048.tif 000006
【図５】
2004503048.tif 000007
【図６】
2004503048.tif 000008
【図７】
2004503048.tif 000009
【国際公開パンフレット】
2004503048.tif 000010
2004503048.tif 000011
2004503048.tif 000012
2004503048.tif 000013
2004503048.tif 000014
2004503048.tif 000015
2004503048.tif 000016
2004503048.tif 000017
2004503048.tif 000018
2004503048.tif 000019
2004503048.tif 000020
2004503048.tif 000021
2004503048.tif 000022
2004503048.tif 000023
2004503048.tif 000024
2004503048.tif 000025
2004503048.tif 000026
【国際調査報告】
2004503048.tif 000027
2004503048.tif 000028
2004503048.tif 000029